(57)【要約】【課題】画像表示にコンポジット映像信号を用いるとともに、音声用としてアナログ音声信号を用いる場合に、映像信号が記録された記録媒体の再生を行うときの消費電力を低減する。【解決手段】３信号式映像信号回路４は３信号式デジタル映像信号が入力されないときには動作が停止して消費電力が微少となり、光出力回路５はデジタル音声信号が入力されないときには動作が停止して消費電力が微少となり、同軸出力回路６はデジタル音声信号が入力されないときには動作が停止して消費電力が微少となる構成において、記録媒体再生手段１が記録媒体１７の再生を行うときには、記録媒体再生手段１が３信号式デジタル映像信号を３信号式映像信号回路４に送出することを停止させ且つデジタル音声信号を光出力回路５と同軸出力回路６とに送出することを停止させ且つ表示器駆動回路９による表示器１１の駆動動作を停止させている。【選択図】  図１
2005094471.tif 000002
【特許請求の範囲】
【請求項１】
ＤＶＤを再生することによって、コンポジットデジタル映像信号と、コンポーネントデジタル映像信号と、デジタル音声信号と、再生におけるトラック番号や再生位置を示す時間情報等からなる再生情報信号とを出力する記録媒体再生手段と、
コンポジットデジタル映像信号からコンポジットアナログ映像信号を生成するとともに、生成したコンポジットアナログ映像信号をコンポジット映像端子に送出するコンポジット映像信号回路と、
コンポーネントデジタル映像信号からコンポーネントアナログ映像信号を生成するとともに、生成したコンポーネントアナログ映像信号をコンポーネント映像端子に送出するコンポーネント映像信号回路と、
デジタル音声信号からステレオアナログ音声信号を生成するとともに、生成したステレオアナログ音声信号をステレオ音声端子に送出するアナログ音声信号回路と、
デジタル音声信号からデジタル音声信号光出力を生成するとともに、生成したデジタル音声信号光出力を光出力端子に送出する光出力回路と、
デジタル音声信号を所定インピーダンスのデジタル音声信号にインピーダンス変換するとともに、インピーダンス変換したデジタル音声信号をデジタル音声端子に送出する同軸出力回路と、
表示素子に蛍光表示管を用いた表示器と、
再生情報信号に基づいて表示器を駆動する表示器駆動回路とを備え、
コンポーネント映像信号回路はコンポーネントデジタル映像信号が入力されないときには動作が停止して消費電力が微少となり、光出力回路はデジタル音声信号が入力されないときには動作が停止して消費電力が微少となり、同軸出力回路はデジタル音声信号が入力されないときには動作が停止して消費電力が微少となるＤＶＤ再生装置において、
通常モードと低消費電力モードとの２種の動作モードのうちから通常モードが選択された場合に記録媒体再生手段がＤＶＤの再生を行うときには、記録媒体再生手段からコンポーネント映像信号回路にコンポーネントデジタル映像信号を送出させ且つ記録媒体再生手段から光出力回路と同軸出力回路とにデジタル音声信号を送出させ且つ表示器駆動回路には表示器を駆動させ、前記２種の動作モードのうちから低消費電力モードが選択された場合に記録媒体再生手段がＤＶＤの再生を行うときには、記録媒体再生手段がコンポーネント映像信号回路にコンポーネントデジタル映像信号を送出することを停止させ且つ記録媒体再生手段が光出力回路と同軸出力回路とにデジタル音声信号を送出することを停止させ且つ表示器駆動回路が表示器を駆動する動作を停止させる制御手段を備えたことを特徴とするＤＶＤ再生装置。
【請求項２】
映像信号が記録された記録媒体を再生することによって、コンポジットデジタル映像信号と、コンポーネントデジタル映像信号や原色デジタル色信号等のように３つのデジタル映像信号を組として構成される３信号式デジタル映像信号と、デジタル音声信号と、再生におけるトラック番号や再生位置を示す時間情報等からなる再生情報信号とを出力する記録媒体再生手段と、
コンポジットデジタル映像信号からコンポジットアナログ映像信号を生成するとともに、生成したコンポジットアナログ映像信号をコンポジット映像端子に送出するコンポジット映像信号回路と、
３信号式デジタル映像信号から、コンポーネントアナログ映像信号あるいは原色アナログ色信号等のように３つのアナログ映像信号を組として構成される３信号式アナログ映像信号を生成するとともに、生成した３信号式アナログ映像信号を３信号式映像端子に送出する３信号式映像信号回路と、
デジタル音声信号からステレオアナログ音声信号を生成するとともに、生成したステレオアナログ音声信号をステレオ音声端子に送出するアナログ音声信号回路と、
デジタル音声信号からデジタル音声信号光出力を生成するとともに、生成したデジタル音声信号光出力を光出力端子に送出する光出力回路と、
デジタル音声信号を所定インピーダンスのデジタル音声信号にインピーダンス変換するとともに、インピーダンス変換したデジタル音声信号をデジタル音声端子に送出する同軸出力回路と、
再生情報信号に基づいて表示器を駆動する表示器駆動回路とを備え、
３信号式映像信号回路は３信号式デジタル映像信号が入力されないときには動作が停止して消費電力が微少となり、光出力回路はデジタル音声信号が入力されないときには動作が停止して消費電力が微少となり、同軸出力回路はデジタル音声信号が入力されないときには動作が停止して消費電力が微少となる映像信号再生装置において、
記録媒体再生手段が前記記録媒体の再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させ且つ表示器駆動回路が表示器を駆動する動作を停止させる制御手段を備えたことを特徴とする映像信号再生装置。
【請求項３】
制御手段は、通常モードと低消費電力モードとの２種の動作モードのうちから通常モードが選択された場合に記録媒体再生手段が前記記録媒体の再生を行うときには、記録媒体再生手段から３信号式映像信号回路に３信号式デジタル映像信号を送出させ且つ記録媒体再生手段から光出力回路と同軸出力回路とにデジタル音声信号を送出させ且つ表示器駆動回路には表示器を駆動させ、前記２種の動作モードのうちから低消費電力モードが選択された場合に記録媒体再生手段が前記記録媒体の再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させ且つ表示器駆動回路が表示器を駆動する動作を停止させることを特徴とする請求項２記載の映像信号再生装置。
【発明の詳細な説明】
【技術分野】
【０００１】
本発明は、コンポーネントアナログ映像信号等のように３つのアナログ映像信号を組として構成されるアナログ映像信号と、コンポジットアナログ映像信号と、デジタル音声信号と、デジタル音声信号光出力と、アナログ音声信号とを出力するとともに、表示器に再生時の情報等を表示するＤＶＤ再生装置および映像信号再生装置に関するものである。
【背景技術】
【０００２】
ＤＶＤの再生を行うときの消費電力を少なくする従来技術の１つに以下に示す技術が提案されている（第１の従来技術とする）。すなわち、この技術が適用されたノートブック型コンピュータにおいては、ＤＶＤを再生する場合、ＭＰＥＧ２ストリームの復号・再生には関与せず、ＤＶＤビデオ再生中には使用されない周辺デバイスであるＦＤＤ、プリンタポート、ＵＳＢ、およびＰＣカードコントローラへの電源の供給を停止している。また、二次キャッシュメモリへの電源の供給も併せて停止している（例えば、特許文献１参照）。
【０００３】
また以下に示す技術が提案されている（第２の従来技術とする）。すなわち、この技術においては、音声信号用として、５．１チャンネルのアナログ音声信号を生成する第１生成部と、４チャンネルのアナログ音声信号を生成する第２生成部と、２チャンネルのアナログ音声信号を生成する第３生成部とを設けている。そして、第１〜第３生成部のうち、接続される外部機器の状態に応じて未使用となる生成部については、電力を供給しないスタンバイ状態に設定して、消費電力を抑制している。なお、電力を供給しないスタンバイ状態とは、安全な停止状態ではなく、僅かな電力のみを消費する状態であることが示されている（例えば、特許文献２参照）。
【０００４】
【特許文献１】特開平１１−１７５２０５号公報
【特許文献２】特開平１０−３０８０５５号公報
【発明の開示】
【発明が解決しようとする課題】
【０００５】
しかしながら、第１の従来技術を用いる場合にも、以下に示す問題を生じていた。すなわち、適用しようとする装置が、ＤＶＤ再生装置等のように、ディスクの再生を行うＡＶ機器の場合、ＤＶＤの再生に関連しない電気的なブロックについては、殆ど設けられていないのが一般的である。このため、ＤＶＤの再生に関連しないブロックへの電源の供給を停止する場合にも、その効果は極めて微少であり、有効な程度の効果を得ることは困難となっている。
【０００６】
第２の従来技術は、５．１チャンネルのアナログ音声信号のための回路ブロックと、４チャンネルのアナログ音声信号のための回路ブロックと、２チャンネルのアナログ音声信号のための回路ブロックとを備えた構成に適用されている。このため、アナログ音声信号については、左右のステレオアナログ音声信号（第２の従来技術における２チャンネルの音声信号）を出力する過ぎない装置に場合には、適用することが困難となっていた。
【０００７】
本発明は上記課題を解決するために創案されたものであり、その目的は、画像表示にコンポジット映像信号を用いるとともに、音声用としてアナログ音声信号を用いる場合に、ＤＶＤの再生を行うときの消費電力を低減することのでき、且つ、画像表示にコンポジット映像信号を用いるとともに音声用の信号としてアナログ音声信号を用いる場合にＤＶＤの再生時の消費電力を低減可能とした構成とするときにも、コンポーネント映像信号やデジタル音声信号やデジタル音声信号光出力の使用を可能にすることのできるＤＶＤ再生装置を提供することにある。
【０００８】
また本発明の目的は、映像信号が記録された記録媒体の再生を行うときに、コンポーネント映像信号等のように３つの映像信号を組として構成される映像信号を生成する映像信号回路、デジタル音声信号光出力を生成する光出力回路、デジタル音声信号を出力する同軸出力回路の動作を停止させ、且つ、再生情報を表示する表示器の駆動を停止することにより、画像表示にコンポジット映像信号を用いるとともに、音声用としてアナログ音声信号を用いる場合に、映像信号が記録された記録媒体の再生を行うときの消費電力を低減することのできる映像信号再生装置を提供することにある。
【０００９】
また上記目的に加え、画像表示にコンポジット映像信号を用いるとともに、音声用としてアナログ音声信号を用いる場合に、記録媒体の再生時の消費電力を低減可能とした構成とするときにも、コンポーネント映像信号やデジタル音声信号やデジタル音声信号光出力の使用を可能にすることのできる映像信号再生装置を提供することにある。
【課題を解決するための手段】
【００１０】
上記の課題を達成するため、本発明に係るＤＶＤ再生装置は、ＤＶＤを再生することによって、コンポジットデジタル映像信号と、コンポーネントデジタル映像信号と、デジタル音声信号と、再生におけるトラック番号や再生位置を示す時間情報等からなる再生情報信号とを出力する記録媒体再生手段と、コンポジットデジタル映像信号からコンポジットアナログ映像信号を生成するとともに、生成したコンポジットアナログ映像信号をコンポジット映像端子に送出するコンポジット映像信号回路と、コンポーネントデジタル映像信号からコンポーネントアナログ映像信号を生成するとともに、生成したコンポーネントアナログ映像信号をコンポーネント映像端子に送出するコンポーネント映像信号回路と、デジタル音声信号からステレオアナログ音声信号を生成するとともに、生成したステレオアナログ音声信号をステレオ音声端子に送出するアナログ音声信号回路と、デジタル音声信号からデジタル音声信号光出力を生成するとともに、生成したデジタル音声信号光出力を光出力端子に送出する光出力回路と、デジタル音声信号を所定インピーダンスのデジタル音声信号にインピーダンス変換するとともに、インピーダンス変換したデジタル音声信号をデジタル音声端子に送出する同軸出力回路と、表示素子に蛍光表示管を用いた表示器と、再生情報信号に基づいて表示器を駆動する表示器駆動回路とを備え、コンポーネント映像信号回路はコンポーネントデジタル映像信号が入力されないときには動作が停止して消費電力が微少となり、光出力回路はデジタル音声信号が入力されないときには動作が停止して消費電力が微少となり、同軸出力回路はデジタル音声信号が入力されないときには動作が停止して消費電力が微少となるＤＶＤ再生装置に適用している。そして、通常モードと低消費電力モードとの２種の動作モードのうちから通常モードが選択された場合に記録媒体再生手段がＤＶＤの再生を行うときには、記録媒体再生手段からコンポーネント映像信号回路にコンポーネントデジタル映像信号を送出させ且つ記録媒体再生手段から光出力回路と同軸出力回路とにデジタル音声信号を送出させ且つ表示器駆動回路には表示器を駆動させ、前記２種の動作モードのうちから低消費電力モードが選択された場合に記録媒体再生手段がＤＶＤの再生を行うときには、記録媒体再生手段がコンポーネント映像信号回路にコンポーネントデジタル映像信号を送出することを停止させ且つ記録媒体再生手段が光出力回路と同軸出力回路とにデジタル音声信号を送出することを停止させ且つ表示器駆動回路が表示器を駆動する動作を停止させる制御手段を備えている。
【００１１】
すなわち、低消費電力モードを選択してＤＶＤの再生を行う場合では、コンポーネント映像信号回路と光出力回路と同軸出力回路と表示器駆動回路とにおいて消費されるはずであった電力分だけ、消費電力が低減される。また、通常モードを選択するときでは、コンポーネントアナログ映像信号、デジタル音声信号光出力、および、デジタル音声信号が出力される。
【００１２】
また本発明に係る映像信号再生装置は、映像信号が記録された記録媒体を再生することによって、コンポジットデジタル映像信号と、コンポーネントデジタル映像信号や原色デジタル色信号等のように３つのデジタル映像信号を組として構成される３信号式デジタル映像信号と、デジタル音声信号と、再生におけるトラック番号や再生位置を示す時間情報等からなる再生情報信号とを出力する記録媒体再生手段と、コンポジットデジタル映像信号からコンポジットアナログ映像信号を生成するとともに、生成したコンポジットアナログ映像信号をコンポジット映像端子に送出するコンポジット映像信号回路と、３信号式デジタル映像信号から、コンポーネントアナログ映像信号あるいは原色アナログ色信号等のように３つのアナログ映像信号を組として構成される３信号式アナログ映像信号を生成するとともに、生成した３信号式アナログ映像信号を３信号式映像端子に送出する３信号式映像信号回路と、デジタル音声信号からステレオアナログ音声信号を生成するとともに、生成したステレオアナログ音声信号をステレオ音声端子に送出するアナログ音声信号回路と、デジタル音声信号からデジタル音声信号光出力を生成するとともに、生成したデジタル音声信号光出力を光出力端子に送出する光出力回路と、デジタル音声信号を所定インピーダンスのデジタル音声信号にインピーダンス変換するとともに、インピーダンス変換したデジタル音声信号をデジタル音声端子に送出する同軸出力回路と、再生情報信号に基づいて表示器を駆動する表示器駆動回路とを備え、３信号式映像信号回路は３信号式デジタル映像信号が入力されないときには動作が停止して消費電力が微少となり、光出力回路はデジタル音声信号が入力されないときには動作が停止して消費電力が微少となり、同軸出力回路はデジタル音声信号が入力されないときには動作が停止して消費電力が微少となる映像信号再生装置に適用している。そして、記録媒体再生手段が前記記録媒体の再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させ且つ表示器駆動回路が表示器を駆動する動作を停止させる制御手段を備えている。
【００１３】
すなわち、記録媒体の再生を行う場合では、３信号式映像信号回路と光出力回路と同軸出力回路と表示器駆動回路とにおいて消費されるはずであった電力分だけ、消費電力が低減される。
【００１４】
また上記構成に加え、制御手段は、通常モードと低消費電力モードとの２種の動作モードのうちから通常モードが選択された場合に記録媒体再生手段が前記記録媒体の再生を行うときには、記録媒体再生手段から３信号式映像信号回路に３信号式デジタル映像信号を送出させ且つ記録媒体再生手段から光出力回路と同軸出力回路とにデジタル音声信号を送出させ且つ表示器駆動回路には表示器を駆動させ、前記２種の動作モードのうちから低消費電力モードが選択された場合に記録媒体再生手段が前記記録媒体の再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させ且つ表示器駆動回路が表示器を駆動する動作を停止させるようになっている。
【００１５】
すなわち、低消費電力モードを選択してＤＶＤの再生を行う場合では、３信号式映像信号回路と光出力回路と同軸出力回路と表示器駆動回路とにおいて消費されるはずであった電力分だけ、消費電力が低減される。また、通常モードを選択するときでは、３信号式映像信号、デジタル音声信号光出力、および、デジタル音声信号が出力される。
【発明の効果】
【００１６】
本発明によれば、通常モードが選択された場合にＤＶＤの再生を行うときには、記録媒体再生手段からコンポーネント映像信号回路にコンポーネントデジタル映像信号を送出させ且つ記録媒体再生手段から光出力回路と同軸出力回路とにデジタル音声信号を送出させ且つ表示器駆動回路には表示器を駆動させている。また、低消費電力モードが選択された場合にＤＶＤの再生を行うときには、記録媒体再生手段がコンポーネント映像信号回路にコンポーネントデジタル映像信号を送出することを停止させ且つ記録媒体再生手段が光出力回路と同軸出力回路とにデジタル音声信号を送出することを停止させ且つ表示器駆動回路が表示器を駆動する動作を停止させている。従って、低消費電力モードを選択して再生を行う場合では、コンポーネント映像信号回路と光出力回路と同軸出力回路と表示器駆動回路とにおいて消費されるはずであった電力分だけ、消費電力が低減される。また、通常モードを選択するときでは、コンポーネントアナログ映像信号、デジタル音声信号光出力、および、デジタル音声信号が出力される。このため、画像表示にコンポジット映像信号を用いるとともに、音声用としてアナログ音声信号を用いる場合に、ＤＶＤの再生を行うときの消費電力を低減することができる。且つ、表示器の表示素子は蛍光表示管であるので、表示を停止すると消費電力が大きく低減される。従って、ＤＶＤの再生を行うときの消費電力の低減の程度を、より大きなものにすることができている。且つ、画像表示にコンポジット映像信号を用いるとともに音声用の信号としてアナログ音声信号を用いる場合にＤＶＤの再生時の消費電力を低減可能とした構成とするときにも、コンポーネント映像信号やデジタル音声信号やデジタル音声信号光出力の使用を可能にすることができる。
【００１７】
また本発明によれば、記録媒体再生手段が前記記録媒体の再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させている。且つ表示器駆動回路が表示器を駆動する動作を停止させている。従って、記録媒体の再生を行う場合では、３信号式映像信号回路と光出力回路と同軸出力回路と表示器駆動回路とにおいて消費されるはずであった電力分だけ、消費電力が低減される。このため、画像表示にコンポジット映像信号を用いるとともに、音声用としてアナログ音声信号を用いる場合に、映像信号が記録された記録媒体の再生を行うときの消費電力を低減することができる。
【００１８】
またさらに、通常モードが選択された場合に再生を行うときには、記録媒体再生手段から３信号式映像信号回路に３信号式デジタル映像信号を送出させ且つ記録媒体再生手段から光出力回路と同軸出力回路とにデジタル音声信号を送出させ且つ表示器駆動回路には表示器を駆動させ、低消費電力モードが選択された場合に再生を行うときには、記録媒体再生手段が３信号式デジタル映像信号を３信号式映像信号回路に送出することを停止させ且つ記録媒体再生手段がデジタル音声信号を光出力回路と同軸出力回路とに送出することを停止させ且つ表示器駆動回路が表示器を駆動する動作を停止させている。従って、低消費電力モードを選択してＤＶＤの再生を行う場合では、３信号式映像信号回路と光出力回路と同軸出力回路と表示器駆動回路とにおいて消費されるはずであった電力分だけ、消費電力が低減される。また、通常モードを選択するときでは、３信号式映像信号、デジタル音声信号光出力、および、デジタル音声信号が出力される。このため、画像表示にコンポジット映像信号を用いるとともに、音声用としてアナログ音声信号を用いる場合に、記録媒体の再生時の消費電力を低減可能とした構成とするときにも、コンポーネント映像信号やデジタル音声信号やデジタル音声信号光出力の使用を可能にすることができる。
【発明を実施するための最良の形態】
【００１９】
以下、本発明の実施の形態について図を参照しつつ説明する。図１は、本発明に係る映像信号再生装置の一実施形態の電気的構成を示すブロック線図であり、具体的にはＤＶＤ再生装置を示している。
【００２０】
図において、ピックアップ１９は、ディスクモータ１８によって回転駆動されるＤＶＤ（記録媒体）１７に記録された映像信号や音声信号等を再生する。信号処理回路２は、ピックアップ１９より出力される再生信号からデジタルデータを復調した後、エラー訂正を行う。そして、エラー訂正が終了したデジタルデータを、ＭＰＥＧ２方式等によって伸長し、コンポーネントデジタル映像信号（３信号式デジタル映像信号）とコンポジットデジタル映像信号とを生成する。また、２種のデジタル音声信号を生成する。
【００２１】
そして、コンポーネントデジタル映像信号をコンポーネント映像信号回路（請求項記載の３信号式映像信号回路であり、以下ではコンポーネント回路と称する）４に送出し、コンポジットデジタル映像信号をコンポジット映像信号回路（以下ではコンポジット回路と称する）７に送出する。また、２種のデジタル音声信号の一方を光出力回路５と同軸出力回路６とに送出し、２種のデジタル音声信号の他方をアナログ音声信号回路８に送出する。また、再生におけるトラック番号や再生位置を示す時間情報等からなる再生情報信号を制御手段３に送出する
【００２２】
すなわち、ディスクモータ１８、ピックアップ１９、信号処理回路２からなるブロック１は、請求項記載の記録媒体再生手段となっている。なお、サーボ制御のための構成については図示が省略されている。
【００２３】
コンポーネント回路４は、コンポーネントデジタル映像信号から、アナログ方式の輝度信号、青色差信号、赤色差信号の３つの信号からなるコンポーネント映像信号を生成する。このため、振分回路２４と３つのＤ／Ａ変換器２１〜２３とを備えている。そして、振分回路２４は、コンポーネントデジタル映像信号から輝度信号（Ｙ信号）を示すデジタル映像信号を取り出してＤ／Ａ変換器２１に送出する。
【００２４】
また、コンポーネントデジタル映像信号から青色差信号（Ｃｂ色差信号）を示すデジタル映像信号を取り出してＤ／Ａ変換器２２に送出する。また、コンポーネントデジタル映像信号から赤色差信号（Ｃｒ色差信号）を示すデジタル映像信号を取り出してＤ／Ａ変換器２３に送出する。そして、Ｄ／Ａ変換器２１から送出される輝度信号は出力端子３１１に導かれ、Ｄ／Ａ変換器２２から送出される青色差信号は出力端子３１２に導かれ、Ｄ／Ａ変換器２３から送出される赤色差信号は出力端子３１３に導かれている（請求項記載のコンポーネント映像端子３１は、３つの出力端子３１１〜３１３により構成されている）。
【００２５】
光出力回路５は、信号処理回路２から出力されるデジタル音声信号をデジタル音声信号光信号に変換し、光出力端子３２に送出する。同軸出力回路６は、信号処理回路２から出力されるデジタル音声信号を７５Ωのデジタル音声信号にインピーダンス変換し、デジタル音声端子３３に送出する。
【００２６】
コンポジット回路７は、信号処理回路２から送出されるコンポジットデジタル映像信号をコンポジットアナログ映像信号に変換し、コンポジット映像端子３４に送出する。アナログ音声信号回路８は、信号処理回路２から送出されるデジタル音声信号からステレオアナログ音声信号を生成してステレオ音声端子３５に送出する。このため、２つのＤ／Ａ変換器２６，２７と振分回路２８とを備えている。
【００２７】
振分回路２８は、信号処理回路２から送出されるデジタル音声信号のうち、左チャンネルを示すデジタル音声信号を取り出してＤ／Ａ変換器２６に送出する。また、信号処理回路２から送出されるデジタル音声信号のうち、右チャンネルを示すデジタル音声信号を取り出してＤ／Ａ変換器２７に送出する。そして、Ｄ／Ａ変換器２６から送出されるアナログ音声信号は出力端子３５１に導かれ、Ｄ／Ａ変換器２７から送出されるアナログ音声信号は出力端子３５２に導かれている（出力端子３５１，３５２は、請求項記載のステレオ音声端子３５となっている）。
【００２８】
受光回路１２は、リモートコントローラ１３から送信される赤外線信号を受光するとともに、受光して得られたリモコン信号を表示器駆動回路９に出力する。表示器１１は、図２に示したように、装置本体６１の前面パネル６２に設けられており、表示素子には蛍光表示管が用いられている。表示器駆動回路９は、制御手段３から出力されるデータ（信号処理回路２が制御手段３に対して出力したデータであり、再生中のトラック番号や再生位置を示す時刻情報等からなる）に基づいて表示器１１を駆動することにより、再生中のトラック番号や再生位置を示す時刻情報等を表示器１１に表示する。また、受光回路１２から出力されるリモコン信号を制御手段３に出力する。
【００２９】
電源回路１４は、商用電源１４１が供給されている場合には、信号処理回路２、制御手段３、コンポーネント回路４、光出力回路５、同軸出力回路６、コンポジット回路７、アナログ音声信号回路８、表示器駆動回路９、および、受光回路１２の各ブロックに動作電源を供給する。
【００３０】
なお、コンポーネント回路４は、３信号式デジタル映像信号が入力されないときには、動作の停止状態となり、消費電力が微少となる。また、光出力回路５は、デジタル音声信号が入力されないときには、動作の停止状態となり、消費電力が微少となる。また、同軸出力回路６は、デジタル音声信号が入力されないときには、動作の停止状態となり、消費電力が微少となる。
【００３１】
制御手段３は、マイクロコンピュータを主要部として構成され、ＤＶＤ再生装置としての主要動作を制御する。このため、信号処理回路２の動作を制御する。また、表示器駆動回路９に表示用のデータを送出することでもって、必要とする情報を表示器１１に表示する。
【００３２】
そして、通常モードと低消費電力モードとの２つのモードのうち、低消費電力モードが選択された場合では、ＤＶＤ１７の再生を行うときにも、コンポーネント回路４、光出力回路５、および、同軸出力回路６の３つのブロックを動作の停止状態に維持する。また、表示器１１の表示動作を停止させる。
【００３３】
すなわち、制御手段３は、低消費電力モードが選択された場合、信号処理回路２がコンポーネント回路４にコンポーネントデジタル映像信号を送出することを禁止して（振分回路２４に接続されたコンポーネントデジタル映像信号のための信号経路２０１のレベルを、例えば、Ｌレベルに維持させる）、コンポーネント回路４の消費電力を微少値に抑制する。また、信号処理回路２が光出力回路５と同軸出力回路６とにデジタル音声信号を送出することを禁止して（光出力回路５と同軸出力回路６とに接続されたデジタル音声信号のための信号経路２０２のレベルを、例えば、Ｌレベルに維持させる）、光出力回路５と同軸出力回路６との消費電力を微少値に抑制する。
【００３４】
また、表示器駆動回路９に所定信号を送出することによって、表示器駆動回路９が表示器１１を駆動する動作を停止させる。このため、低消費電力モードが選択された場合、コンポーネント回路４、光出力回路５、同軸出力回路６、および、表示器駆動回路９の各ブロックは、ＤＶＤ１７が再生される状態となるときにも、消費電力が微少となる動作の停止状態に維持される。
【００３５】
一方、通常モードが選択された場合、制御手段３は、ＤＶＤ１７の再生状態となるときには、信号処理回路２からコンポーネントデジタル映像信号回路をコンポーネント回路４に送出させ、信号処理回路２からデジタル音声信号を光出力回路５と同軸出力回路６とに送出させる。また、表示器駆動回路９には表示器１１を駆動させるように設定する。
【００３６】
以下に補足的な説明を行うと、制御手段３を構成するマイクロコンピュータと信号処理回路２とは、１つのＩＣ５１の内部に集積化されている。また、コンポーネント回路４は独立したＩＣ５２の内部に集積化されており、光出力回路５と同軸出力回路６とは、１つのＩＣ５３の内部に集積化されている。つまり、コンポーネント回路４、および、光出力回路５と同軸出力回路６との組が、制御手段３を構成するＩＣ５１とは異なるＩＣ５２，５３に集積化されているにもかかわらず、別途に制御用の信号線を設けることなく、コンポーネント回路４、光出力回路５、同軸出力回路６の状態を、動作状態と非動作状態との２つの状態のうちの任意の一方の状態に設定することが可能な構成となっている。従って、既存のプンリト配線基板を、プリントパターンを変更することなく、そのままで使用することができるようになっている。
【００３７】
図３は、実施形態の主要動作を示すフローチャートである。必要に応じて同図を参照しつつ、実施形態の動作を説明する。
【００３８】
いま、接続線８１を介して、コンポジット映像端子３４がテレビ受像機７１のコンポジット映像端子に接続されており、接続線８２Ｌ，８２Ｒを介して、ステレオ音声端子３５がテレビ受像機７１の音声信号入力端子に接続されているとする。すなわち、コンポーネント映像端子３１、光出力端子３２、デジタル音声端子３３が使用されない状態にあるとする。
【００３９】
また、ユーザが、リモートコントローラ１３を用いて初期設定の画面を表示させ、通常モードと低消費電力モードとの２つのモードから、低消費電力モードを選択したとする。選択されたモードは制御手段３に記憶される。
【００４０】
低消費電力モードが選択された状態において、トレイ６３にＤＶＤ１７を載置した後、再生の指示を与えると、制御手段３は、通常モードが選択されていたのか、あるいは、低消費電力モードが選択されていたのかを調べる（ステップＳ１，Ｓ２）。このときでは、低消費電力モードが選択されていたので、制御手段３は、信号処理回路２に対し、コンポーネント回路４へのコンポーネントデジタル映像信号の送出停止の指示を与える（ステップＳ３）。また、信号処理回路２に対し、光出力回路５と同軸出力回路６とへのデジタル音声信号の送出停止の指示を与える（ステップＳ４）。また、表示器駆動回路９に対して、表示器１１の駆動の停止の指示を与える（ステップＳ５）。
【００４１】
上記した指示の送出が完了すると、制御手段３は、信号処理回路２に、ＤＶＤ１７の再生の開始の指示を与える。その結果、ＤＶＤ１７が回転駆動されるとともに、ピックアップ１９によってＤＶＤ１７からデータが読み取られ、信号処理回路２に出力される。そして、信号処理回路２からは、コンポジット回路７に対してコンポジットデジタル映像信号が送出され、アナログ音声信号回路８に対してデジタル音声信号が送出される。このため、テレビ受像機７１には、コンポジットアナログ映像信号とラインレベルのステレオ音声信号が送出されるので、ＤＶＤ１７より再生された画像がテレビ受像機７１において表示されるとともに、ＤＶＤ１７より再生されたステレオ音声がテレビ受像機７１より出力される（ステップＳ６）。
【００４２】
一方、コンポーネント回路４にはコンポーネントデジタル映像信号が送出されない。また、光出力回路５と同軸出力回路６とにはデジタル音声信号が送出されない。従って、コンポーネント回路４、光出力回路５、および、同軸出力回路６は、動作の停止状態に維持され、消費電力は微少な状態に留まっている。また、表示器駆動回路９も、動作の停止状態に維持されるので、消費電力は微少な状態に留まることになる。すなわち、低消費電力モードを選択した状態においてＤＶＤ１７を再生するときでは、コンポーネント回路４、光出力回路５、同軸出力回路６、および、表示器駆動回路９の各ブロックが動作するときに消費する電力分だけ、消費電力が抑制されることになる。
【００４３】
以上で、コンポジット映像信号を用いた場合の動作説明を終了し、以下に、コンポーネント映像信号を用いる場合の動作を説明する。
【００４４】
高画質の映像を表示するため、３本のシールド線からなる接続線８１を用いて、コンポーネント映像端子３１を、テレビ受像機７１のコンポーネント映像端子に接続したとする（音声信号については、ステレオ音声端子３５から送出される音声信号を用いるものとする）。このときでは、初期設定において、ユーザは、通常モードを選択する。通常モードが選択されたことは制御手段３に記憶される。
【００４５】
通常モードが選択された状態において、トレイ６３にＤＶＤ１７を載置した後、再生の指示を与えると、制御手段３は、通常モードが選択されていたのか、あるいは、低消費電力モードが選択されていたのかを調べる（ステップＳ１，Ｓ２）。このときでは、通常モードが選択されていたので、制御手段３は、コンポーネント回路４にコンポーネントデジタル映像信号を送出させるための指示を信号処理回路２に与える（ステップＳ７）。また、光出力回路５と同軸出力回路６とにデジタル音声信号を送出させるための指示を信号処理回路２に与える（ステップＳ８）。また、表示器駆動回路９に対して、表示器１１の駆動を行わせるための指示を与える（ステップＳ９）。
【００４６】
上記した指示の送出が完了すると、制御手段３は、信号処理回路２に、ＤＶＤ１７の再生の開始の指示を与える。その結果、ＤＶＤ１７が回転駆動されるとともに、ピックアップ１９によってＤＶＤ１７からデータが読み取られ、信号処理回路２に出力される。そして、信号処理回路２からは、コンポーネント回路４に対し、コンポーネントデジタル映像信号が送出される。このため、コンポーネント映像端子３１からは、輝度信号、青色差信号、赤色差信号が送出される。また、光出力端子３２からはデジタル音声信号光出力が送出され、デジタル音声端子３３からはデジタル音声信号が送出される。
【００４７】
また、コンポジット回路７に対してコンポジットデジタル映像信号が送出されるので、コンポジット映像端子３４からはコンポジットアナログ映像信号が送出される（このコンポジットアナログ映像信号は使用されない）。また、アナログ音声信号回路８に対してデジタル音声信号が送出される。このため、テレビ受像機７１には、コンポーネントアナログ映像信号とラインレベルのステレオ音声信号が送出されるので、ＤＶＤ１７より再生された高品位の画像がテレビ受像機７１において表示されるとともに、ＤＶＤ１７より再生されたステレオ音声がテレビ受像機７１より出力される（ステップＳ１０）。また、再生されているトラックの番号や再生位置を示す時間情報が、表示器１１において表示される（ステップＳ１１）。
【００４８】
なお、リモートコントローラ１３に入力された指示が、再生とは異なる指示の場合には、入力された指示に対応する動作が実行される（ステップＳ１，Ｓ１２）。
【００４９】
なお、本発明は上記実施形態に限定されず、３信号式映像端子については、コンポーネント映像端子３１とした場合について説明したが、Ｄ映像端子とする場合にも、同様に適用することができる。
【００５０】
また、３信号式デジタル映像信号については、コンポーネントデジタル映像信号とした場合について説明したが、赤、青、緑の３つの原色デジタル色信号とする場合にも、同様に適用することができる。なお、このときでは、３信号式映像端子には、例えば、ＳＣＡＲＴコネクタ、等が使用されることになる。
【００５１】
また、記録媒体についてはＤＶＤとした場合について説明したが、ＤＶＤとは異なる光ディスクや光磁気ディスクの場合にも同様に適用することが可能であり、さらには、磁気ディスク（ハードディスクを含む）や磁気テープとする場合にも、同様に適用することができる。
【図面の簡単な説明】
【００５２】
【図１】本発明に係る映像信号再生装置の一実施形態の電気的構成を示すブロック線図である。
【図２】実施形態とテレビ受像機との接続の状態を示す説明図である。
【図３】実施形態の主要動作を示すフローチャートである。
【符号の説明】
【００５３】
１  記録媒体再生手段
３  制御手段
４  コンポーネント映像信号回路（３信号式映像信号回路）
５  光出力回路
６  同軸出力回路
７  コンポジット映像信号回路
８  アナログ音声信号回路
９  表示器駆動回路
１１  表示器
１７  ＤＶＤ（記録媒体）
３１  コンポーネント映像端子（３信号式映像端子）
３２  光出力端子
３３  デジタル音声端子
３４  コンポジット映像端子
３５  ステレオ音声端子
【図１】
2005094471.tif 000003
【図２】
2005094471.tif 000004
【図３】
2005094471.tif 000005